(57)【特許請求の範囲】
【請求項１】
刃部とメガネ部とを一体化した半身体の一対を１つの枢軸によって開閉自在に連結したはさみであって、
前記枢軸の略中央部の両面に互いに平行な案内面を形成し、この枢軸により枢支される側の前記半身体の連結穴を、所定距離離されて前記枢軸と同じ直径の第１及び第２丸穴と、これらの第１及び第２丸穴を連結させ、かつ前記枢軸の案内面間部分を通過させる長穴とにより構成するとともに、
前記一方の刃部の略中央に電線通し穴を形成するとともに、前記他方の刃部の刃面を曲線状にして、
前記枢軸を前記第１丸穴内に位置させて前記両刃部を閉じたときに、一方の刃部の先端に形成した尖端部を他方の刃部の先端から露出させることができるようにするとともに、前記電線通し穴の半分を、他方の刃部の前記曲線状刃面によって塞ぎ得るものとして、被覆だけが切断されて内部の電線は切断されない被覆電線の被覆剥がしを行えるようにし、
前記枢軸を前記第２丸穴内に位置させて前記両刃部を閉じたときに、前記電線通し穴の全部を、他方の刃部の前記曲線状刃面によって塞ぎ得るものとして、前記被覆電線の所定長さでの完全切断を行なえるようにしたことを特徴とするはさみ。
【発明の詳細な説明】
【０００１】
【産業上の利用分野】
本発明は、手で持って使用する「はさみ」に関し、特に電線の被覆剥がしをも行えるようにしたはさみに関するものである。
【０００２】
【従来の技術】
「はさみ」は、工作用や台所用に限らず、既に種々なものが提案されてきており、使用されてきてもいる。特に、「切る」という機能だけでなく、ある特定の機能を付加したものも、種々提案されてきている。その内の１つとして、一方の刃部の先端を尖らせて、この「尖端部」でネジ回しや穴明け等の作業を行うようにしたものも提案されている。
【０００３】
このような「尖端部」を備えた「はさみ」は、閉じたときに「尖端部」を他の半身体（刃部と指を入れるメガネ部とを一体にしたはさみの半分）の刃部に重なるようにして、使用しないときの安全性を確保するようにしたものである。そして、「尖端部」によって穴明けを行うには、一対の半身体を開いて「尖端部」全体を露出させ、その状態ではさみを持って作業するようにしている。
【０００４】
ところが、一対の半身体を開くということは、各半身体の刃部が露出するということであり、この刃部が手のひらに当って、時に痛みを感じて使用感がはなはだ悪いのである。特に、学校で行われる空かんを利用した工作では、かんの胴体等に穴を開けることが必要であり、その時には開いたはさみ全体に力を大きく入れなければならないから、大きな痛みを感じることになり、場合によっては工作そのものができないこともあり得る。
【０００５】
このため、「尖端部」以外の部分、特に刃部にキャップ被せて、工作時の痛みを和らげることも考えられたのであるが、キャップではこれを無くしてしまうことが十分考えられ、結局キャップがないのと同様な状態になってしまうことになる。
【０００６】
同じようなことが台所でもあり得る。つまり、種々なパックに穴明けを行おうとするとき、特に力の弱い老人の場合には、どうしても開いたはさみの全体を手で持たないと力が入らないため、刃部による痛みを感じて作業ができないということが起きるのである。
【０００７】
一方、学校で行われる理科の工作では、ビニール等の被覆を施した被覆電線を使用することがあるが、これを所定の長さに切断するとともに、これを電気的に接続するための被覆剥がしを行う必要がある。勿論、ニッパーのように、切断と被覆剥がしの両方が行える電線専用の手動利器は存在するが、一般的には電気工事専門に行う人が用意しているだけで、例示したような理科の工作を行うためには、通常は用意されてはいない。
【０００８】
そこで、本発明者等は、「尖端部」の長所を生かしながら、使用時に前述したような痛みが生ぜず、かつ安全に使用できるとともに、被覆電線の被覆剥がしをも行えるようにするにはどうしたらよいかについて、種々検討を重ねてきた結果、本発明を完成したのである。
【０００９】
【発明が解決しようとする課題】
本発明は、以上のような経緯に基づいてなされたもので、その解決しようとする課題は、ドライバ等の「尖端部」を刃部の先端に備えていながら、安全で使用し易く、しかも被覆電線の被覆剥がしをも行えるはさみを提供することにある。
【００１０】
すなわち、本発明の目的とするところは、「尖端部」による作業を、全体を閉じて安全に行うことができて、「尖端部」を使用しないときには、この「尖端部」を露出させないでおくことができ、しかも被覆電線の被覆剥がしと切断との選択使用をも行うことのできるはさみを、簡単な構造によって提供することにある。
【００１１】
【課題を解決するための手段】
以上の課題を解決するために、まず請求項１に係る発明の採った手段は、後述する実施の形態の説明中において使用する符号を付して説明すると、
「刃部１１ａ・１１ｂとメガネ部１２ａ・１２ｂとを一体化した半身体１０Ａ・１０Ｂの一対を１つの枢軸１３によって開閉自在に連結したはさみ１０であって、
枢軸１３の略中央部の両面に互いに平行な案内面１３ｂを形成し、この枢軸１３により枢支される側の半身体１０Ｂの連結穴１５を、所定距離離されて枢軸１３と同じ直径の第１及び第２丸穴１５ａ・１５ｂと、これらの第１及び第２丸穴１５ａ・１５ｂを連結させ、かつ枢軸１３の案内面１３ｂ間部分を通過させる長穴１５ｃとにより構成するとともに、
一方の刃部１１ｂの略中央に電線通し穴１４を形成するとともに、他方の刃部１１ａの刃面を曲線状にして、
枢軸１３を第１丸穴１５ａ内に位置させて両刃部１１ａ・１１ｂを閉じたときに、一方の刃部１１ｂの先端に形成した尖端部１６を他方の刃部１１ａの先端から露出させることができるようにするとともに、電線通し穴１４の半分を、他方の刃部１１ａの曲線状刃面によって塞ぎ得るものとして、被覆だけが切断されて内部の電線は切断されない被覆電線の被覆剥がしを行えるようにし、
枢軸１３を第２丸穴１５ｂ内に位置させて両刃部１１ａ・１１ｂを閉じたときに、電線通し穴１４の全部を、他方の刃部１１ａの曲線状刃面によって塞ぎ得るものとして、前記被覆電線の所定長さでの完全切断を行なえるようにしたことを特徴とするはさみ１０」
である。
【００１２】
すなわち、本発明に係るはさみ１０では、これを構成する一対の半身体１０Ａ・１０Ｂを１本の枢軸１３によって開閉自在に連結したものである。後述する実施形態のはさみ１０では、図１に示すように、半身体１０Ｂ側に、枢軸１３を移動させることになる連結穴１５と、先端に形成した尖端部１６と、この尖端部１６と連結穴１５との略中間に位置する電線通し穴１４と、この電線通し穴１４の外側に設けた長さを測る目盛り１７ａを形成し、半身体１０Ａ側には、図１及び図２に示すように、刃部１１ａの外側面にノコギリ部１７ｂを形成したものである。
【００１５】
なお、以下に示す実施形態のはさみ１０においては、支点の変換作業を、図３または図４に示すような位置、つまり半身体１０Ａ・１０Ｂを大きく開いた時にのみ行えるようにしてあって、通常の「切る」作業を行う程度では支点の位置が変えられないようにしてある。
【００１６】
また、枢軸１３の連結穴１５についての位置を変えることにより、半身体１０Ａと半身体１０Ｂとの相対位置を選択的に変えることのできる当該はさみ１０では、尖端部１６を使用しない場合には、図５及び図６に示すように、この尖端部１６を他側の半身体１０Ａの刃部１１ａによって完全にカバーされるようにすることができて、安全なものとすることができるのである。これに対して、このはさみ１０は、図１及び図２に示すように、その支点の位置を他側にすることによって、半身体１０Ｂ側に形成してある尖端部１６を、半身体１０Ａ側の刃部１１ａの先端より突出させることができるのである。
【００１７】
尖端部１６が図２に示すように突出すれば、この尖端部１６を使用してネジ回しや差込を行う場合には、閉じた両メガネ部１２ａ・１２ｂをそのまま握ればよく、従来のはさみ１０のように痛みを感じることはないのである。勿論、各半身体１０Ａ及び半身体１０Ｂには、メガネ部１２ａ・１２ｂがそれぞれ形成してあるから、図２に示したような状態の両メガネ部１２ａ・１２ｂを使用すれが、当該はさみ１０が握り易いことは言うまでもない。
【００１８】
なお、以下に示す実施形態のはさみ１０では、図１に示すように、両半身体１０Ａ・１０Ｂを閉じたときに互いに当接するストッパ１８ａ・１８ｂの内の、一方のストッパ１８ａを大きくするとともに、他方のストッパ１８ｂを小さくして、両者の当接が第１丸穴１５ａ及び第２丸穴１５ｂ間の距離内で常に行われるようにしてあるため、常に安定した閉じ状態を作ることができるものである。
【００１９】
従って、本発明のはさみ１０によれば、「尖端部１６」による作業を、全体を閉じて安全に行うことができて、「尖端部１６」を使用しないときには、この「尖端部１６」を露出させないでおくことができ、しかも電線通し穴１４を形成したことによって被覆電線の被覆剥がしと切断との選択使用をも行えるのである。
【００２０】
【発明の実施の形態】
次に、本発明に係る発明を、図面に示した実施の形態であるはさみ１０について説明すると、次の通りである。
【００２１】
図１及び図２には、本発明に係るはさみ１０を閉じた状態が示してあるが、当然、このはさみ１０は、刃部１１ａ・１１ｂ及びメガネ部１２ａ・１２ｂをそれぞれ一体化した一対の半身体１０Ａ・１０Ｂを１本の枢軸１３によって開閉可能に連結して構成したものである。そして、本実施形態のはさみ１０では、図１に示すように、半身体１０Ｂ側に、枢軸１３を移動させることになる連結穴１５と、先端に形成した尖端部１６と、この尖端部１６と連結穴１５との略中間に位置する電線通し穴１４と、この電線通し穴１４の外側に設けた長さを測る目盛り１７ａを形成し、半身体１０Ａ側に、図１及び図２に示すように、刃部１１ａの外側面にノコギリ部１７ｂを形成したものである。
【００２２】
また、このはさみ１０においては、図３に示したように、枢軸１３の略中央部の両側に、互いに平行な案内面１３ｂが形成してあり、これらの案内面１３ｂ間に位置する枢軸１３の軸部が通過し得る長穴１５ｃを有した連結穴１５を、尖端部１６を有する半身体１０Ｂ側に形成してある。つまり、このはさみ１０では、図３及び図４に示すように、半身体１０Ｂの支点の位置を第１丸穴１５ａまたは第２丸穴１５ｂのいずれかに変化させ得るものとしてあるのである。
【００２３】
半身体１０Ｂ側に形成してある連結穴１５は、図３及び図４に示したように、通過部１４の両案内面１３ｂ間の寸法と略同じ幅の長穴１５ｃの両端に、枢軸１３の直径と略同じ直径の第１丸穴１５ａ及び第２丸穴１５ｂを、当該長穴１５ｃにて連続するように形成したものである。
【００２４】
以上のような連結穴１５を半身体１０Ｂが有していることによって、この半身体１０Ｂは、半身体１０Ａ側に固定してある枢軸１３に対して、次のように移動可能となっている。すなわち、図１に示したような位置にあった半身体１０Ｂは、これを半身体１０Ａに対して開くことにより、図３に示したような状態となるのであるが、このときには、半身体１０Ｂはその第１丸穴１５ａにて枢軸１３の軸部に係合していて、この軸部を中心に回動するのである。そして、図３に示した状態に半身体１０Ｂを半身体１０Ａに対して一杯に開けば、軸部が連結穴１５の長穴１５ｃを通過し得る位置になる。
【００２５】
そこで、図４に示したように、半身体１０Ｂ全体を移動させれば、半身体１０Ｂは、その連結穴１５の長穴１５ｃによって移動し、軸部は第２丸穴１５ｂ内に納まることになり、結果的に、半身体１０Ｂの回動支点が第２丸穴１５ｂを中心とするものになるのである。
【００２６】
以上の結果、このはさみ１０を閉じれば、図２に示したように、その先端に形成した尖端部１６が、半身体１０Ａ側の刃部１１ａの先端より突出したものとなっているのである。勿論、以上の操作は、これを逆にしても行えるものであることは言うまでもない。
【００２７】
電線通し穴１４は、その中に被覆電線を挿通できる程度の大きさのものであることは当然であるが、これだけでは被覆電線の被覆剥がしや切断は行えない。そこで、当該はさみ１０においては、この電線通し穴１４を形成したのとは反対側の半身体１０Ａの刃部１１ａについて、図２に示したように曲線状の刃面を有するものとしてある。刃部１１ａの刃面を曲線状にしておくことによって、他方の刃部１１ｂとの摺り合わせが連続的に行えて、紙等の通常の切断を連続的に行えるようにしているとともに、電線通し穴１４の内側面に対する刃部１１ａの刃面の位置が、両半身体１０Ａ・１０Ｂを閉じたときに、図２に示した場合と、図６に示した場合との二種類となり得るようにしているのである。
【００２８】
これにより、このはさみ１０においては、枢軸１３の連結穴１５についての位置を変えたとき、半身体１０Ａと半身体１０Ｂとの相対位置を選択的に変えられるのであり、両半身体１０Ａ・１０Ｂを閉じたときの電線通し穴１４の開口量を、図２に示すような半分にしたり、あるいは図６に示すように全閉にしたりすることができるのである。従って、この電線通し穴１４内に電線を通しておけば、図２の半分だけ開けられる場合には、両半身体１０Ａ・１０Ｂを完全に閉じたとしても、被覆だけが切断されて内部の電線は切断されず、被覆剥がしが行えるのであり、図６の全閉される場合には、両半身体１０Ａ・１０Ｂを完全に閉じれば、電線の所定長さでの完全切断が行なわれるのである。
【００２９】
また、本実施形態のはさみ１０では、図１の図示上側になっている半身体１０Ｂの先端に尖端部１６を一体的に形成したものであるが、この尖端部１６は、刃部１１ｂを構成している金属の先を尖らせたものであり、例えば、ネジ回しをしたり、狭い隙間に差し込んでこの隙間を広げたり、空かんの加工を行うきっかけ穴を明けたりと、種々な使い方がなされるものである。
【００３０】
この尖端部１６と連結穴１５との間に位置する刃部１１ｂの外側には、図１等に示したように、電線等の切りたいものの長さを測定するための目盛り１７ａが形成してある。この目盛り１７ａは、電線通し穴１４の中に電線を入れてビニール被覆に切り込み入れたり切断したりする場合等に、その切断等の位置を決めるために使用されるものである。なお、本実施形態のはさみ１０では、図１及び図２に示したように、刃部１１ａの反対側にノコギリ部１７ｂが形成してあり、このノコギリ部１７ｂによってノコギリ切断という、他の部分では行えない加工を行うことができる。
【００３１】
なお、本実施形態のはさみ１０においては、その両メガネ部１２ａ・１２ｂの内側に、図１及び図２に示したように、ストッパ１８ａ・１８ｂがそれぞれ一体的に形成してあり、これらのストッパ１８ａ・１８ｂは、両半身体１０Ａ・１８Ｂを閉じたときの両者の位置を規定するものである。本実施形態半身体１０Ｂ側のストッパ１８ｂを小さくし、半身体１０Ａ側のストッパ１８ａを大きくして、ストッパ１８ｂが、図１または図２のいずれかに示した状態となっても、常にストッパ１８ａに当接するようにしてある。
【００３２】
【発明の効果】
以上、詳述した通り、本発明においては、上記実施形態にて例示した如く、
「刃部１１ａ・１１ｂとメガネ部１２ａ・１２ｂとを一体化した半身体１０Ａ・１０Ｂの一対を１つの枢軸１３によって開閉自在に連結したはさみ１０であって、
枢軸１３の略中央部の両面に互いに平行な案内面１３ｂを形成し、この枢軸１３により枢支される側の半身体１０Ｂの連結穴１５を、所定距離離されて枢軸１３と同じ直径の第１及び第２丸穴１５ａ・１５ｂと、これらの第１及び第２丸穴１５ａ・１５ｂを連結させ、かつ枢軸１３の案内面１３ｂ間部分を通過させる長穴１５ｃとにより構成するとともに、
一方の刃部１１ｂの略中央に電線通し穴１４を形成するとともに、他方の刃部１１ａの刃面を曲線状にして、
枢軸１３を第１丸穴１５ａ内に位置させて両刃部１１ａ・１１ｂを閉じたときに、一方の刃部１１ｂの先端に形成した尖端部１６を他方の刃部１１ａの先端から露出させることができるようにするとともに、電線通し穴１４の半分を、他方の刃部１１ａの曲線状刃面によって塞ぎ得るものとして、被覆だけが切断されて内部の電線は切断されない被覆電線の被覆剥がしを行えるようにし、
枢軸１３を第２丸穴１５ｂ内に位置させて両刃部１１ａ・１１ｂを閉じたときに、電線通し穴１４の全部を、他方の刃部１１ａの曲線状刃面によって塞ぎ得るものとして、前記被覆電線の所定長さでの完全切断を行なえるようにしたこと」
にその構成上の特徴があり、これにより、「尖端部１６」による作業を、全体を閉じて安全に行うことができて、「尖端部１６」を使用しないときには、この「尖端部１６」を露出させないでおくことができ、しかも被覆電線の被覆剥がしと切断との選択使用をも行うことのできるはさみ１０を、簡単な構造によって提供することができるのである。
【図面の簡単な説明】
【図１】本発明に係るはさみを閉じた状態であって、尖端部を他方の刃部の先端から突出させたときの状態を示す平面図である。
【図２】図１に示したはさみの底面図である。
【図３】同はさみを最大限開いて枢軸の軸部を第１丸穴内に入れたときの部分拡大平面図である。
【図４】同はさみの枢軸の軸部を第２丸穴内に入れたときの部分拡大平面図である。
【図５】本発明に係るはさみを閉じた状態であって、尖端部を他方の刃部と略同一位置としたときの状態を示す平面図である。
【図６】図５に示したはさみの底面図である。
【符号の説明】
１０    はさみ
１０Ａ  半身体
１０Ｂ  半身体
１１ａ  刃部
１１ｂ  刃部
１２ａ  メガネ部
１２ｂ  メガネ部
１３    枢軸
１３ａ  頭部
１３ｂ  案内面
１４    電線通し穴
１５    連結穴
１５ａ  第１丸穴
１５ｂ  第２丸穴
１５ｃ  長穴
１６    尖端部
１７ａ  目盛り
１７ｂ  ノコギリ部
１８ａ  ストッパ
１８ｂ  ストッパ
【図１】
0003551413.tif 000002
【図２】
0003551413.tif 000003
【図３】
0003551413.tif 000004
【図４】
0003551413.tif 000005
【図５】
0003551413.tif 000006
【図６】
0003551413.tif 000007